(57)【要約】【課題】可動体の傾きや動きのがたつきを抑えることができるパチンコ遊技機を提供する。【解決手段】遊技者から見て手前側となる表面に遊技領域７が設けられる遊技板５と、遊技板５の裏面側に設けられ、遊技板５の反対側に凹む凹部５１ａを有する裏ユニット５１と、凹部５１ａに取り付けられる可動体ユニット６０とを備え、可動体ユニット６０は、可動体６１と、凹部５１ａの遊技者から見て奥側となる底面５１ｂに固定され、可動体６１を移動可能に支持する支持部材６３とを備え、支持部材６３は、底面５１ｂから遊技板５側に立設した上壁部５２ｂにさらに固定される。【選択図】図１３
2015053983.tif 000002
【特許請求の範囲】
【請求項１】
遊技者から見て手前側となる表面に遊技領域が設けられる遊技板と、
前記遊技板の裏面側に設けられ、前記遊技板と反対側に凹む凹部を有する裏ユニットと、
前記凹部に取り付けられる可動体ユニットとを備え、
前記可動体ユニットは、
可動体と、
前記凹部の遊技者から見て奥側となる底面に固定され、前記可動体を移動可能に支持する支持部材とを備え、
前記支持部材は、前記底面から前記遊技板側に立設した壁部にさらに固定されることを特徴とするパチンコ遊技機。
【請求項２】
前記支持部材に設けられた第一の係合部と、
前記壁部に設けられ、前記第一の係合部と係合可能な第二の係合部とを備え、
前記第一および第二の係合部は、前記支持部材を前記壁部に対して前記可動体ユニットの前記裏ユニットへの取付方向にスライド変位させることで係合可能に構成されることを特徴とする請求項１に記載のパチンコ遊技機。
【発明の詳細な説明】
【技術分野】
【０００１】
本発明は、演出に伴い移動する可動体を備えるパチンコ遊技機に関する。
【背景技術】
【０００２】
従来、演出に伴い移動する可動体を備えるパチンコ遊技機が公知となっている（例えば、特許文献１参照）。このパチンコ遊技機は、可動体と、可動体を移動可能に支持する支持部材と、支持部材が取り付けられるベース部材とを備えた可動体ユニットを有し、可動体ユニットを遊技板の裏面側に設けられる裏ユニットの凹部に取り付けたことで、可動体を搭載するように構成されている。
【先行技術文献】
【特許文献】
【０００３】
【特許文献１】特開２０１１−２２４０７７号公報
【発明の概要】
【発明が解決しようとする課題】
【０００４】
特許文献１に記載のパチンコ遊技機では、可動体ユニットのベース部材を裏ユニットの凹部の底面(遊技者から見て奥側の面)にねじ止めすることで、可動体ユニットを裏ユニットに締結する。この場合、支持部材は、ベース部材を介して裏ユニットの凹部の底面に固定されることになるが、例えば、可動体の重量が大きくなるなどして支持部材への負荷が増加した場合に、支持部材が傾いて可動体の支持が不安定となり、可動体が傾いて見栄えが悪くなり、可動体の動きにがたつきが生じて故障を招くおそれがあった。
【０００５】
本発明はかかる課題に鑑み、可動体の傾きや動きのがたつきを抑えることができるパチンコ遊技機を提供するものである。
【課題を解決するための手段】
【０００６】
本発明の解決しようとする課題は以上の如くであり、次にこの課題を解決するための手段を説明する。
【０００７】
即ち、請求項１においては、遊技者から見て手前側となる表面に遊技領域が設けられる遊技板と、前記遊技板の裏面側に設けられ、前記遊技板と反対側に凹む凹部を有する裏ユニットと、前記凹部に取り付けられる可動体ユニットとを備え、前記可動体ユニットは、可動体と、前記凹部の遊技者から見て奥側となる底面に固定され、前記可動体を移動可能に支持する支持部材とを備え、前記支持部材は、前記底面から前記遊技板側に立設した壁部にさらに固定されるものである。
【０００８】
即ち、請求項２においては、前記支持部材に設けられた第一の係合部と、前記壁部に設けられ、前記第一の係合部と係合可能な第二の係合部とを備え、前記第一および第二の係合部は、前記支持部材を前記壁部に対して前記可動体ユニットの前記裏ユニットへの取付方向にスライド変位させることで係合可能に構成されるものである。
【発明の効果】
【０００９】
本発明の効果として、以下に示すような効果を奏する。
【００１０】
本発明によれば、支持部材の支持が安定するため、可動体の傾きや動きのがたつきを抑えることができる。
【図面の簡単な説明】
【００１１】
【図１】本発明の実施形態に係るパチンコ遊技機の全体的な構成を示した正面図。
【図２】同じく、パチンコ遊技機の窓枠が開放された状態の構成を示した正面斜視図。
【図３】同じく、遊技盤の構成を示した正面図。
【図４】同じく、裏ユニットの構成を示した正面図。
【図５】同じく、裏ユニットの構成を示した正面斜視図。
【図６】図５のＡ部の構成を示した部分拡大図。
【図７】同じく、裏ユニットの構成を示した後方斜視図。
【図８】同じく、（ａ）可動体ユニットの構成を示した正面図、（ｂ）同じく右側面図。
【図９】同じく、可動体ユニットの構成を示した背面図。
【図１０】同じく、可動体の構成を示した後方斜視図。
【図１１】同じく、（ａ）支持部材の構成を示した正面図、（ｂ）同じく仰視図。
【図１２】同じく、ベース部材および支持部材の構成を示した正面図。
【図１３】同じく、可動体ユニットおよび裏ユニットの構成を示した正面図。
【図１４】同じく、可動体ユニットおよび裏ユニットの構成を示した後方斜視図。
【図１５】同じく、遊技機の電気的な構成を示したブロック図。
【図１６】本発明の変形例の構成を示した正面図。
【図１７】本発明の変形例の構成を示した仰視図。
【発明を実施するための形態】
【００１２】
次に、発明の実施の形態を説明する。
【００１３】
まず、本発明に係るパチンコ遊技機の実施形態の全体的な構成について、図面を用いて説明する。
なお、以下の説明では、パチンコ遊技機を遊技者側から見て、手前側をパチンコ遊技機の前側とし、奥側をパチンコ遊技機の後側として、前後方向を規定する。また、パチンコ遊技機を遊技者側から見て、左手側をパチンコ遊技機の左側とし、右手側をパチンコ遊技機の右側として、左右方向を規定する。
【００１４】
パチンコ遊技機は、図１および図２に示すように、主として、外枠２と、中枠３と、窓枠４と、により構成される枠体に、各種の遊技部品が取り付けられて形成される。
【００１５】
外枠２は、パチンコ遊技機の外郭を成し、前後面が開口された略四角筒状に形成される枠体である。外枠２は、パチンコホール等の遊技場に設けられた台島に設置される。外枠２には、中枠３が設けられる。
【００１６】
中枠３は、前後面が開口された略四角筒状に形成される枠体である。中枠３は、外枠２の前側の開口部にヒンジ等の軸支部材を介して回動可能に支持される。中枠３には、遊技盤５Ａと、窓枠４と、下皿ユニット６と、が設けられる。
【００１７】
遊技盤５Ａは、遊技球が転動する領域である遊技領域７が形成される部材である。遊技盤５Ａは、中枠３に着脱可能に取り付けられる。
【００１８】
窓枠４は、略平板状に形成される枠体である。窓枠４は、遊技板５の前方に配置される。窓枠４は、中枠３の前側の開口部にヒンジ等の軸支部材を介して回動可能に支持される。窓枠４の略中央には、略円形状の窓枠開口部８が開口される。窓枠開口部８は、透明板８ａにより被覆される。これによって、遊技者は、前方から透明板８ａを介して窓枠４の後方に配置された遊技板５（より詳細には、遊技領域７）を視認することができる。窓枠開口部８の下方には、発射前の遊技球が貯溜される上皿９が配設される。窓枠開口部８の左右上方には、スピーカ１０がそれぞれ配設される。
【００１９】
下皿ユニット６は、中枠３の下側であって窓枠４の下方に取り付けられる。下皿ユニット６の略中央には、上皿９から溢れた遊技球が貯溜される下皿６ａが配設される。下皿ユニット６の右側部であって下皿６ａの右方には、上皿９に貯溜された遊技球を遊技板５の遊技領域７へ向けて発射可能に構成される発射ハンドル１５が配設される。
【００２０】
次に、遊技盤５Ａの構成について、図３から図１３を用いてさらに詳細に説明する。
【００２１】
遊技盤５Ａは、図３に示すように、主として遊技板５と、始動口１９と、図柄表示装置１２と、始動ゲート１７と、可変入賞装置２１と、大入賞装置２４と、一般入賞口１４等を備える。
【００２２】
遊技板５は、略平板状に形成される部材であり、透光性を有する樹脂板（例えば、透明樹脂板）によって構成される。遊技板５には、その中央部において遊技板５を前後方向に貫通する図柄表示開口部１３が形成される。また、遊技板５の前側面には、ガイドレール１１が正面視で略円形状に配置され、前方へ向けて立設される。さらに、遊技板５の裏面側には裏ユニット５１（図４参照）が設けられる。
【００２３】
ガイドレール１１は、略円弧状に形成された帯状の部材である。ガイドレール１１は、遊技板５の前側面に、当該前側面に対して立ち上がり状に取り付けられる。ガイドレール１１は、遊技板５の前側面に正面視で略円形状を形成するように配置される。そして、遊技板５において、ガイドレール１１により略円形状に形成された内側の領域が、遊技球が転動する領域である遊技領域７として構成される。
【００２４】
裏ユニット５１は、詳細は後述するが、可動体６１を有する可動体ユニット６０（図８参照）が配置される略箱状のベース部材である（図７、図１３参照）。なお、裏ユニット５１には、可動体６１以外にも装飾体が設けられるが、説明の便宜上、省略する。
【００２５】
始動口１９は、図３に示すように、遊技領域７内の中央下部に配置される。始動口１９は、上面が開口されたポケット状に形成され、その内部に遊技球が入球（入賞）可能に構成される。始動口１９の内部には、近接スイッチからなる第一始動口センサ３０（図１５参照）が配設される。第一始動口センサ３０は、遊技球が始動口１９に入賞すると当該入賞を検知して、始動口入賞信号を出力する。
【００２６】
図柄表示装置１２は、液晶画面２０を設けて、当該液晶画面２０に図柄や数字等を変動表示可能に構成される装置である。図柄表示装置１２は、液晶画面２０を前方へ向けた状態で、遊技板５の後側面に取り付けられる。
【００２７】
図柄表示開口部１３は、遊技者が前方から図柄表示装置１２の液晶画面２０を視認するための開口部である。図柄表示開口部１３は、正面視で遊技領域７の概ね中央で、遊技板５を前後方向に貫通して形成される。図柄表示開口部１３には、図柄表示装置１２の液晶画面２０が配置される。これによって、遊技者は、前方から図柄表示開口部１３を通じて遊技板５の後側面に取り付けられた図柄表示装置１２の液晶画面２０を視認することができる。
【００２８】
始動ゲート１７は、遊技領域７内の左部に配置される。始動ゲート１７は、上下方向に貫通した平面視略コの字状に形成され、その内側を遊技球が通過可能に構成される。始動ゲート１７の内側には、近接スイッチからなる始動ゲートセンサ３１（図１５参照）が配設される。始動ゲートセンサ３１は、遊技球が始動ゲート１７を通過すると当該通過を検知して、始動ゲート通過信号を出力する。始動ゲート１７を遊技球が通過した場合には、普通図柄遊技が行われ、普通図柄遊技の当り判定の結果が当りであると、可変入賞装置２１が作動して普通電動役物遊技が行われる。可変入賞装置２１が作動して開状態になると、始動口２３に遊技球が入賞可能となる。
【００２９】
可変入賞装置２１（普通電動役物）は、始動口１９の下方に配置される。可変入賞装置２１には、始動口２３が設けられる。始動口２３は、上面が開口されたポケット状に形成され、その内部に遊技球が入球（入賞）可能に構成される。始動口２３の左右上方には、一対の可動片２２が配設される。一対の可動片２２は、相互に対向して配置される。一対の可動片２２には、可変入賞装置２１に設けられた可動片用ソレノイド３４（図１５参照）の出力軸が連動連結される。そして、一対の可動片２２は、可動片用ソレノイド３４の出力軸の作動によって、下端を支点として相互に近接又は離間する方向に回動する。そして、一対の可動片２２が下端を支点として相互に近接する方向に回動した場合、遊技領域７内を転動する遊技球は当該一対の可動片２２に干渉されて始動口２３に入賞することができない（閉状態）。一方、一対の可動片２２が下端を支点として相互に離間する方向に回動した場合、遊技領域７内を転動する遊技球は当該一対の可動片２２に干渉されず始動口２３に入賞することができる（開状態）。
【００３０】
このように、可変入賞装置２１は、その作動により遊技球が入賞可能な開状態および入賞不能な閉状態を任意に切り替え可能に構成される。また、始動口２３の内部には、近接スイッチからなる第二始動口センサ３５（図１５参照）が配設される。第二始動口センサ３５は、遊技球が始動口２３（可変入賞装置２１）に入賞すると当該入賞を検知して、始動口入賞信号を出力する。
【００３１】
大入賞装置２４（特別電動役物）は、遊技領域７内の下部であって、可変入賞装置２１の下方に配置される。大入賞装置２４には、大入賞口２６が設けられる。大入賞口２６は、正面視で左右方向に細長い略矩形状であって、遊技領域７が前後方向に貫通して形成される。大入賞口２６は、大入賞口扉２５によって開閉される。大入賞口扉２５は、下端を支点として遊技領域７に対して前後回りに回動可能に支持される。大入賞口扉２５には、大入賞装置２４に設けられた大入賞口扉用ソレノイド３６（図１５参照）の出力軸が連動連結される。そして、大入賞口扉２５は、大入賞口扉用ソレノイド３６の出力軸の作動によって、下端を支点として前回りに回動し、遊技領域７から前方へ向けて突出した（板面を上下方向へ向けた）姿勢となる。そして、遊技領域７内を転動する遊技球は、大入賞口扉２５の上面側に上方から衝突し、当該大入賞口扉２５によって大入賞口２６に入球（入賞）するように案内される。つまり、大入賞口扉２５が下端を支点として前回りに回動した場合、遊技領域７内を転動する遊技球が大入賞口２６に入賞することができる（開状態）。一方、大入賞口扉２５が大入賞口２６を閉じている場合、遊技領域７内を転動する遊技球は大入賞口２６に入賞することができない（閉状態）。
【００３２】
このように、大入賞装置２４は、その作動により遊技球が入賞可能な開状態および入賞不能な閉状態を任意に切り替え可能に構成される。また、大入賞口２６の内部には、近接スイッチからなる大入賞口センサ３７（図１５参照）が配設される。大入賞口センサ３７は、遊技球が大入賞口２６（大入賞装置２４）に入賞すると当該入賞を検知して、大入賞口入賞信号を出力する。
【００３３】
一般入賞口１４は、上面が開口されたポケット状に形成され、遊技球が入球（入賞）可能に形成される部材である。一般入賞口１４は、遊技領域７の下部であって適宜な位置に複数個が配置される。一般入賞口１４は、遊技球が入球すると図示せぬ賞球払出装置によって所定数の遊技球（賞球）が払い出されるように構成される。
【００３４】
アウト口１６は、遊技領域７を転動する遊技球が、始動口１９、一般入賞口１４、始動口２３、大入賞口２６等の各入賞口に入球（入賞）しなかった場合に、最終的に流入する開口部である。アウト口１６は、遊技領域７の最下部に、遊技板５を前後方向に貫通して形成される。なお、アウト口１６に流入した遊技球は、パチンコ遊技機が設置されたパチンコホール等の遊技場側に回収される。
【００３５】
次に、パチンコ遊技機の電気的な構成について、図１５を用いて説明する。
【００３６】
図１５のメイン制御回路８０は特別図柄遊技および大当り遊技のそれぞれの遊技内容を制御するものであり、ＣＰＵ８１とＲＯＭ８２とＲＡＭ８３を有している。このメイン制御回路８０のＲＯＭ８２には制御プログラムおよび制御データが予め記録されており、ＣＰＵ８１はＲＡＭ８３をワークエリアとしてＲＯＭ８２の制御プログラムおよびＲＯＭ８２の制御データに基づいて処理動作を行う。入力回路８４は第一始動口センサ３０からの始動口入賞信号、始動ゲートセンサ３１からの始動ゲート入賞信号、第二始動口センサ３５からの始動口入賞信号および大入賞口センサ３７からの大入賞口入賞信号のそれぞれをメイン制御回路８０に出力するものであり、メイン制御回路８０は入力回路８４を通して始動口入賞信号を検出した場合に制御コマンドおよび賞球コマンドを設定し、大入賞口入賞信号を検出した場合に賞球コマンドを設定する。ソレノイド回路８５は可動片用ソレノイド３４および大入賞口扉用ソレノイド３６を通断電するものであり、メイン制御回路８０はソレノイド回路８５を電気的に制御することで可動片２２および大入賞口扉２５を開閉操作する。
【００３７】
図１５の払出制御回路９０は賞品球の払出動作を制御するものであり、ＣＰＵとＲＯＭとＲＡＭを有している。この払出制御回路９０のＲＯＭには制御プログラムおよび制御データが予め記録されており、ＣＰＵはＲＡＭをワークエリアとしてＲＯＭの制御プログラムおよびＲＯＭの制御データに基づいて遊技球の払出動作を行う。この払出制御回路９０はメイン制御回路８０から賞球コマンドが送信されるものであり、賞球コマンドを検出した場合に駆動信号を出力する。モータ回路９１は払出制御回路９０から駆動信号が入力されるものであり、駆動信号が入力された場合に払出しモータ９２を駆動することで上皿９内に単位個数の賞品球を払出す。
【００３８】
図１５の演出制御回路（演出装置制御手段）１００は、図柄表示装置１２の表示内容、および、演出装置としての可動体ユニット６０の動作を制御するものであり、ＣＰＵ１０１とＲＯＭ１０２とＲＡＭ１０３とを有している。この演出制御回路１００のＲＯＭ１０２には制御プログラムおよび制御データが予め記録されており、ＣＰＵ１０１はＲＡＭ１０３をワークエリアとしてＲＯＭ１０２の制御プログラムおよびＲＯＭ１０２の制御データに基づいて処理動作を行う。この演出制御回路１００はメイン制御回路８０から制御コマンドの設定結果が送信されるものであり、制御コマンドの送信結果を検出した場合に演出コマンドを設定する。
【００３９】
図１５の表示制御回路１１０は図柄表示装置１２の表示内容を制御するものであり、表示制御回路１１０には演出制御回路１００から演出コマンドの設定結果が送信される。この表示制御回路１１０は演出コマンドの設定結果を受信した場合に図柄表示装置１２に演出コマンドの受信結果に応じた映像を表示するものであり、ＶＤＰとＶＲＯＭとＶＲＡＭを有している。ＶＲＯＭは装飾図柄遊技の映像を表示するための画像データと装飾図柄遊技の背景映像を表示するためのビデオデータと大当り遊技演出の映像を表示するためのビデオデータと保留絵柄を表示するための画像データとが予め記録されたものであり、ＶＤＰはＶＲＯＭから検出した画像データおよびビデオデータのそれぞれをＶＲＡＭに展開し、図柄表示装置１２にＲ・Ｇ・Ｂの各信号を出力することで映像をカラーで表示する。
【００４０】
図１５の音制御回路１２０は両スピーカ１０のそれぞれの出力内容を制御するものであり、音制御回路１２０には演出制御回路１００から演出コマンドの設定結果が送信される。この音制御回路１２０は演出コマンドの設定結果を受信した場合に演出コマンドの受信結果に応じた音信号を設定するものであり、両スピーカ１０のそれぞれを音信号の設定結果に応じて電気的に操作することで両スピーカ１０のそれぞれから演出コマンドの受信結果に応じた効果音を出力する。
【００４１】
役物制御回路１３０は後述する可動体ユニット６０のモータ６７を通断電するものであり、演出制御回路１００は役物制御回路１３０を電気的に制御することで可動体ユニット６０を操作する。
【００４２】
次に、裏ユニット５１の構成について図４から図７、図１３を用いて説明する。
【００４３】
裏ユニット５１は、遊技板５の裏面側に設けられ、遊技板５と反対側に凹む箱状の凹部５１ａを有する。図１３に示すように、凹部５１ａには可動体ユニット６０（図８参照）が配置され、凹部５１ａの底面５１ｂは、可動体ユニット６０の取付面となっている。なお、図７に示すように、裏ユニット５１の裏側に図柄表示装置１２（図３参照）が取り付け可能とされており、底面５１ｂには、遊技板５の図柄表示開口部１３（図３参照）に対応する位置に図柄表示開口部５１ｃが設けられる。
【００４４】
図４から図７に示すように、凹部５１ａの四方には、底面５１ｂから遊技板５側に立設する上壁部５２ｂ、右側壁部５２ａ、左側壁部５２ａおよび下壁部５２ｃが設けられる。また、凹部５１ａの開口端部（裏ユニット５１の前端部）には、凹部５１ａを囲むようにフランジ部５３が設けられる。なお、フランジ部５３が遊技板５の裏面にねじ止めされることにより、裏ユニット５１が遊技板５に固定される。
【００４５】
図５から図７に示すように、裏ユニット５１の上壁部５２ｂには後述する可動体ユニット６０の支持部材６３と係合するための係合部である係合孔５５が設けられている。
【００４６】
係合孔５５は、上壁部５２ｂの前端部に設けられており、長孔で構成されている。また、図６に示すように、係合孔５５の前部の下端部には、係合孔５５の内側に向けて突出する突起５５ａが設けられる。突起５５ａは、係合孔５５の左右両側に対で設けられ、それぞれ前後方向に延設される。
【００４７】
次に、裏ユニット５１の凹部５１ａに配置される可動体ユニット６０について、図８から図１３を用いて説明する。
【００４８】
可動体ユニット６０は、図８に示すように、可動体６１と、ベース部材６２と、支持部材６３とを備える。
【００４９】
可動体６１は、ベース部材６２に対して左右方向に移動可能に構成される。可動体６１は、図１３に示すように、待機状態にあるときは、ベース部材６２の左右方向の中央部の待機位置に位置し、作動状態に移行した場合には、図８（ａ）に示すように、待機位置から左方向に移動する。
【００５０】
図１０に示すように、可動体６１は、装飾部６１ａと、装飾部６１ａの後側に延設される第一連結部６１ｂと、一端が第一連結部６１ｂの後端部に連結され、左右方向に延びる第二連結部６５と、第二連結部６５の他端に連結され、左右方向に延びるラック部材６６とを有している。
【００５１】
装飾部６１ａは、救急車を模した板状の装飾部材である。装飾部６１ａは、可動体ユニット６０の最も前側に設けられた部材であり、遊技板５の裏側に位置する。装飾部６１ａは、遊技板５を介して遊技者から視認可能になっている。
【００５２】
第一連結部６１ｂは、装飾部６１ａと第二連結部６５を連結するために設けられ、上面視において左右方向を長手方向とする長方形状とされる。なお、図８（ａ）（ｂ）に示すように、装飾部６１ａの裏側（装飾部６１ａとベース部材６２の間）には演出役物７１が設けられるため、第一連結部６１ｂは、その前後方向の寸法（上面視における短手方向の寸法）が演出役物７１の前後方向の寸法よりも大きくなるように形成される。
【００５３】
ここで、演出役物７１は、静止した装飾体であり、図１３に示すように、可動体６１が待機位置にあるときは、可動体６１の装飾部６１ａに隠れて視認不能となり、図８（ａ）に示すように、可動体６１が作動位置に移動したときには、装飾部６１ａの裏側から現れて視認可能となる。
【００５４】
図１０に示すように、第二連結部６５は、第一連結部６１ｂとラック部材６６を連結するために設けられる。
【００５５】
ラック部材６６にはラック機構６６ａが設けられている。ラック機構６６ａは、図８（ｂ）および図９に示すように、動力源であるモータ６７の駆動軸に設けられたピニオンギア６７ａと噛合しており、動力源であるモータ６７を正逆回転することにより、ラック部材６６が左右方向へ移動する。
【００５６】
このように構成することにより、モータ６７を正逆回転することで、ラック部材６６が左右方向へ移動すると共に、その動きが第二連結部６５および第一連結部６１ｂを通じて装飾体６１ａに伝達され、装飾体６１ａが左右方向へ移動するのである。
【００５７】
ベース部材６２は、可動体６１および支持部材６３が取り付けられると共に、可動体ユニット６０を裏ユニット５１に固定するためのものであり、図８、図９、図１２および図１３に示すように、可動体６１よりも後側に設けられる。ベース部材６２には複数の箇所にねじ孔６２ａが設けられており、ねじ孔６２ａおよび対応する裏ユニット５１の凹部５１ａの底面５１ｂに設けられたねじ孔５１ｄへ前面からねじを挿入して固定することにより、ベース部材６２は裏ユニット５１に固定されている。
【００５８】
支持部材６３は、可動体６１を左右方向に移動可能に支持するものであり、図１１（ａ）（ｂ）に示すように、摺動孔６３ａと、係合部６３ｂと、取付部６９とを有している。
【００５９】
摺動孔６３ａは、支持部材６３を前後方向に貫通し、左右方向に延びる長孔によって構成される。摺動孔６３ａには、可動体６１の第一連結部６１ｂが挿入され、これにより、装飾部６１ａが左右方向に移動可能に支持部材６３に支持される。なお、支持部材６３の前後方向の寸法は、可動体６１の第一連結部６１ｂの前後方向の寸法と略同一とされる。
【００６０】
係合部６３ｂは、支持部材６３を裏ユニット５１の上壁部５２ｂ（図７参照）に固定するための部材であり、支持部材６３の上部に設けられる。係合部６３ｂの左右両側には一対の突起６３ｄが設けられる。突起６３ｄは、それぞれ左右外側に突設されると共に前後方向に延設される。
【００６１】
取付部６９は、支持部材６３をベース部材６２に連結するための部材であり、支持部材６３の後端部に設けられる。取付部６９には、支持部材６３をベース部材６２にねじ止めするためのねじ孔６９ａが設けられる。
【００６２】
上記の構成により、支持部材６３は、ベース部材６２と裏ユニット５１の凹部５１ａの上壁部５２ｂとそれぞれに固定される。
【００６３】
ここで、支持部材６３がベース部材６２のみに固定された場合には、支持部材６３は、支持部材６３とベース部材６２の連結部を支点とした後方からの支持により支持されることになる。その一方で、可動体６１の装飾部６１ａは、前述のように、その裏側に演出役物７１が配置されることから、支持部材６３の支点から前方にある程度距離が離れた状態で支持部材６３により支持される（図８（ｂ）参照）。このため、装飾部６１ａの重みを支持部材６３が支えきれなくなり、可動体６１が支持部材６３と共に前傾するおそれがある。
【００６４】
これに対し、本実施形態のように、支持部材６３をベース部材６２と裏ユニット５１の上壁部５２ｂとに固定した場合には、ベース部材６２による後方からの支持と、裏ユニット５１の凹部５１ａの上壁部５２ｂによる上方からの吊り下げ支持との二方向から支持部材６３を支持することできる。このため、支持部材６３の支持力を高めて支持を安定させることができ、可動体６１が前傾するのを防止することが可能になる。
【００６５】
次に、可動体ユニット６０の裏ユニット５１への組付方法について説明する。
【００６６】
凹部５１ａの底面５１ｂを下側とし、裏ユニット５１の前面側（凹部５１ａの底面５１ｂと反対側）を上側とした状態で裏ユニット５１を作業台に載置し、裏ユニット５１の前面側から可動体ユニット６０を裏ユニット５１の凹部５１ａの取付位置にセットする。
【００６７】
この際、支持部材６３を裏ユニット５１の上壁部５２ｂに対して裏ユニット５１の前面側から凹部５１ａの底面５１ｂに向かう方向（可動体ユニット６０の取付方向）にスライド変位させ、支持部材６３の係合部６３ｂ（図１１参照）を上壁部５２ｂの係合孔５５（図６参照）に挿入させていく。これに伴い、係合部６３ｂの突起６３ｄと係合孔５５の突起５５ａとを係合させ、支持部材６３を裏ユニット５１の上壁部５２ｂに組み付ける。
【００６８】
このように、可動体ユニット６０を裏ユニット５１内の取付位置にセットする過程で支持部材６３を裏ユニット５１の上壁部５２ｂに組み付けることができるため、別途の組み付け作業が不要となり、上壁部５２ｂに対する支持部材６３の組み付けを速やかに行うことができる。また、スライド変位により支持部材６３と上壁部５２ｂの組み付けを行うことができるため、両者のねじ止め作業を不要としつつ組み付けを簡単に行うことができ、作業性を向上させることが可能になる。
【００６９】
可動体ユニット６０を裏ユニット５１の凹部５１ａに載置した後は、ベース部材６２のねじ孔６２ａ（図８参照）と、裏ユニット５１の凹部５１ａの底面５１ｂに設けられたねじ孔５１ｄ（図４参照）とに裏ユニット５１の前面側からねじを螺入してねじ止めし、可動体ユニット６０を裏ユニット５１に固定する。
【００７０】
このように、支持部材６３の裏ユニット５１の上壁部５２ｂへの固定、および可動体ユニット６０（ベース部材６２）の裏ユニット５１の凹部５１ａの底面５１ｂへの固定の双方を、裏ユニット５１の前面側からの作業によって行うことができるため、例えば、作業台上で裏ユニット５１の位置や方向を変えたり、作業者が裏ユニット５１の側方に回り込んでねじ止めを行うなどの作業が不要となり、組付の作業性を向上させることができる。
【００７１】
以上のように、本実施形態に係るパチンコ遊技機は、遊技者から見て手前側となる表面に遊技領域７が設けられる遊技板５と、遊技板５の裏面側に設けられ、遊技板５の反対側に凹む凹部５１ａを有する裏ユニット５１と、凹部５１ａに取り付けられる可動体ユニット６０とを備え、可動体ユニット６０は、可動体６１と、凹部５１ａの遊技者から見て奥側となる底面５１ｂに固定され、可動体６１を移動可能に支持する支持部材６３とを備え、支持部材６３は、底面５１ｂから遊技板５側に立設した上壁部５２ｂにさらに固定されるものである。
【００７２】
このように構成することにより、支持部材６３をベース部材６２および裏ユニット５１の上壁部５２ｂによって支持することができるため、支持部材６３の支持が安定する。例えば、可動体６１の重量が重い場合であっても、可動体６１の前側方向への傾きを防止し、また、可動体６１の移動の際のがたつきを防止することができる。
【００７３】
なお、本実施形態においては、支持部材６３は、摺動孔６３ａを備える構成としたが、これに限定するものではなく、支持部材を支持ロッドで構成し、前記支持ロッドに環状の部材を嵌合して、当該環状の部材を前記支持ロッドの長手方向へ摺動させる構成とすることも可能である。
【００７４】
また、本実施形態においては、ベース部材６２と支持部材６３とを別体で設けているが、これに限定するものではなく、支持部材がベース部材に一体形成される構成とすることも可能である。
【００７５】
また、本実施形態においては、遊技板５を介して可動体６１を視認可能としているが、これに限定されるものではなく、不透明な遊技板に開口部を設け、その開口部から可動体６１が臨む構成とすることも可能である。
【００７６】
また、本実施形態においては、可動体６１は遊技領域７の上方に設けているが、これに限定されるものではなく、遊技領域７の側方または下方に設ける構成とすることも可能である。
【００７７】
また、本実施形態においては、支持部材６３で可動体６１を支持しているが、これに限定されるものではなく、可動体６１に他の動力伝達部材を固設し、当該他の動力伝達部材を支持部材６３で支持する構成とすることも可能である。
【００７８】
また、本実施形態においては、ベース部材６２を裏ユニット５１に固定する固定部材としてねじを用いているが、ねじ以外の留め具を用いることも可能である。
【００７９】
また、本実施形態においては、支持部材６３を上壁部５２ｂに固定しているが、これに限定するものではなく、例えば、右側壁部５２ａ、左側壁部５２ａ、下壁部５２ｃに固定してもよいし、裏ユニット５１の凹部５１ａの底面５１ｂに立ち壁（底面５１ｂから遊技板５側に立設する壁部）を新たに設け、その立ち壁に支持部材６３を固定してもよい。
【００８０】
また、本実施形態においては、支持部材６３をベース部材６２を介して裏ユニット５１の凹部５１ａに固定しているが、これに限定するものではなく、支持部材６３を直接裏ユニット５１に固定する構成とすることも可能である。
【００８１】
また、本実施形態においては、可動体６１を左右方向に移動するものとしたが、これに限定するものではなく、図１６に示すように、可動体を円弧状に移動させてもよいし、図１７に示すように、可動体を前後方向に移動させてもよい。
【符号の説明】
【００８２】
５：遊技板，７：遊技領域，５１：裏ユニット，５１ａ：凹部，５１ｂ：底面，５２ａ：上壁部，５５：係合孔，６０：可動体ユニット，６３：支持部材，６３ｂ：係合部
【図１】
2015053983.tif 000003
【図２】
2015053983.tif 000004
【図３】
2015053983.tif 000005
【図４】
2015053983.tif 000006
【図５】
2015053983.tif 000007
【図６】
2015053983.tif 000008
【図７】
2015053983.tif 000009
【図８】
2015053983.tif 000010
【図９】
2015053983.tif 000011
【図１０】
2015053983.tif 000012
【図１１】
2015053983.tif 000013
【図１２】
2015053983.tif 000014
【図１３】
2015053983.tif 000015
【図１４】
2015053983.tif 000016
【図１５】
2015053983.tif 000017
【図１６】
2015053983.tif 000018
【図１７】
2015053983.tif 000019